(57)【要約】【課題】  通話セッションにおいてユーザが希望する一部の期間の音声情報をユーザが希望する装置に録音させる。【解決手段】  制御部１１は、通話制御処理１３１において、通信Ｉ／Ｆ１３を介して通話相手端末７から受信される音声情報を音声入出力部１４に出力させ、音声入出力部１４により得られる音声情報を通信Ｉ／Ｆ１３により通話相手端末７に送信する。また、遠隔制御処理１３２では、操作部１６の操作により指示される期間、操作部１６の操作により選択された装置に対し、通話セッションの音声情報を送信し、音声情報の格納を行わせる。【選択図】      図１
2007110186.tif 000002
【特許請求の範囲】
【請求項１】
収音および放音を行う音声入出力手段と、
ネットワークを介して他の装置と通信を行う通信手段と、
操作手段と、
少なくとも前記通信手段の制御を行う制御手段とを具備し、
前記制御手段は、
前記ネットワークに接続された他の装置を通話相手端末として通話セッションを確立し、前記通信手段により前記通話相手端末から受信される音声情報を前記音声入出力手段に出力させ、前記音声入出力手段により得られる音声情報を前記通信手段により前記通話相手端末に送信する通話制御手段と、
前記ネットワークを介して遠隔制御対象装置の遠隔制御を行う遠隔制御手段とを具備し、
前記遠隔制御手段は、
ユーザからの指示に従い、前記遠隔制御対象装置を選択するデバイス選択手段と、
前記通話セッションの継続中、前記操作手段の操作により指示される期間、前記遠隔制御対象装置に対し、前記音声入力手段により得られる音声情報および前記通話相手端末から受信される音声情報の少なくとも一部を前記通信手段により送信し、音声情報の格納を行わせる録音制御手段と
を具備することを特徴とする電話端末。
【請求項２】
前記録音制御手段は、音声情報の格納先である録音データファイルのＩＤをユーザに指定させ、該ＩＤを前記遠隔制御対象装置に通知し、該ＩＤに対応した録音データファイルに音声情報を格納させることを特徴とする請求項１に記載の電話端末。
【請求項３】
前記遠隔制御手段は、前記遠隔制御対象装置に、格納された音声情報の再生および送信を行わせるとともに、前記遠隔制御対象装置から受信される音声情報を前記音声入出力手段により出力させる再生制御手段を具備することを特徴とする請求項１または２に記載の電話端末。
【請求項４】
前記再生制御手段は、再生対象である録音データファイルのＩＤを前記遠隔制御対象装置に通知し、該ＩＤに対応付けられた録音データファイルから音声情報を再生させることを特徴とする請求項３に記載の電話端末。
【発明の詳細な説明】
【技術分野】
【０００１】
この発明は、音声会議端末などの電話端末に係り、特に録音機能を備えた電話端末に関する。
【背景技術】
【０００２】
通話中において電話端末間において取り交わされる音声情報を録音する技術が例えば特許文献１により提案されている。この技術では、ネットワークに設けられたサービス制御装置が、通話セッションにおける音声情報の録音を行う。
【特許文献１】特開２００５−３３３１１号公報
【発明の開示】
【発明が解決しようとする課題】
【０００３】
ところで、上述した特許文献１の技術では、通話セッションの開始から終了までの全期間において電話端末間で取り交わされる音声情報の録音が行われ、ユーザは希望する期間の音声情報のみを録音させることができないという問題があった。また、特許文献１の技術において、通話セッションにおける音声情報は、専用のサーバに格納されるため、ユーザが参照するのに手間が掛かるという問題があった。
【０００４】
この発明は、以上説明した事情に鑑みてなされたものであり、通話セッションにおいてユーザが希望する期間の音声情報をユーザが希望する装置に録音させることができる電話端末を提供することを目的としている。
【課題を解決するための手段】
【０００５】
この発明は、収音および放音を行う音声入出力手段と、ネットワークを介して他の装置と通信を行う通信手段と、操作手段と、少なくとも前記通信手段の制御を行う制御手段とを具備し、前記制御手段は、前記ネットワークに接続された他の装置を通話相手端末として通話セッションを確立し、前記通信手段により前記通話相手端末から受信される音声情報を前記音声入出力手段に出力させ、前記音声入出力手段により得られる音声情報を前記通信手段により前記通話相手端末に送信する通話制御手段と、前記ネットワークを介して遠隔制御対象装置の遠隔制御を行う遠隔制御手段とを具備し、前記遠隔制御手段は、ユーザからの指示に従い、前記遠隔制御対象装置を選択するデバイス選択手段と、前記通話セッションの継続中、前記操作手段の操作により指示される期間、前記遠隔制御対象装置に対し、前記音声入力手段により得られる音声情報および前記通話相手端末から受信される音声情報の少なくとも一部を前記通信手段により送信し、音声情報の格納を行わせる録音制御手段とを具備することを特徴とする電話端末を提供する。
かかる電話端末によれば、ユーザは、自分が希望する遠隔制御対象装置を選択し、通話セッションにおける希望する期間の音声情報を録音させることができる。
【発明を実施するための最良の形態】
【０００６】
以下、図面を参照し、この発明の実施の形態を説明する。
図１はこの発明の一実施形態である電話端末１とその環境であるネットワークの構成を示すブロック図である。本実施形態による電話端末１は、ＬＡＮ（Local Area Network）２に接続されており、このＬＡＮ２およびルータ３を介してインターネット４上の各種の装置とパケット通信を行うことができる。インターネット４には、ＩＰ（Internet Protocol）電話サービスの加入者の端末を対象とし、通話セッションの確立のためのサービスを提供するＳＩＰ（Session Initiation Protocol）プロキシサーバ５と、インターネット４上の各装置のドメイン名とＩＰアドレスとの変換を行うＤＮＳ（Domain Name System）サーバ６が接続されている。本実施形態における電話端末１は、これらＳＩＰプロキシサーバ５およびＤＮＳサーバ６のサービスを利用し、ＩＰ電話サービスの加入者端末である１または複数の所望の通話相手端末７との間に通話セッションを確立することができる。なお、電話端末１は、ＳＩＰプロキシサーバ５およびＤＮＳサーバ６のサービスを利用するのではなく、ユーザから通話相手端末７のＩＰアドレスの指定を受け、通話セッション確立のための処理を行うものであってもよい。
【０００７】
ＬＡＮ２には、電話端末１の他、ＰＣ（Personal Computer）８などの各種の電子機器が接続されている。これらの電子機器は、米国マイクロソフト社が提唱するＵＰｎＰ（Universal Plug and Play）の技術を利用し、ＬＡＮ２を介して相互に通信を行う。ＵＰｎＰでは、「サービス」、「デバイス」および「コントロールポイント」を規定している。「サービス」は所定のサービスを提供する論理的な単位であり、「デバイス」は１つ以上のサービスを有する論理的な単位であり、「コントロールポイント」は１つ以上のサービスを制御する論理的な単位である。以下、ＬＡＮ２に接続された各装置のうち、このＵＰｎＰが定める「デバイス」として働く各装置を「ＵＰｎＰデバイス」、「コントロールポイント」として働く装置を「ＵＰｎＰコントロールポイント」と呼ぶ。また、ＬＡＮ２のように各装置が「ＵＰｎＰデバイス」および「ＵＰｎＰコントロールポイント」としての通信に利用するネットワークを「ＵＰｎＰネットワーク」と呼ぶ。本実施形態において、電話端末１はＵＰｎＰコントロールポイントとして機能し、ＰＣ８はＵＰｎＰデバイスとして機能する。
【０００８】
次に電話端末１の構成について説明する。図１において、制御部１１は、電話端末１の各部を制御するとともに、ＬＡＮ２に接続された各種の装置との間の通信の制御およびインターネット４に接続された各種の装置との間の通信の制御を行う装置である。メモリ部１２は、制御部１１により実行される各種のプログラムを記憶したＲＯＭなどの不揮発性メモリや、制御部１１によりワークアリアとして利用されるＲＡＭなどの揮発性メモリにより構成されている。通信Ｉ／Ｆ（インタフェース）１３は、制御部１１による制御の下、ＬＡＮ２またはインターネット４に接続された各種の装置との間で通信を行う装置である。
【０００９】
音声入出力部１４は、マイクとスピーカとを備えている。通話中において通話相手端末７から送られてくる音声情報は通信Ｉ／Ｆ１３および制御部１１を介して音声入出力部１４に供給される。音声入出力部１４は、この音声情報をスピーカにより音声として出力する。また、音声入出力部１４は、電話端末１のユーザの音声をマイクにより収音し、その音声情報を制御部１１に出力する。この音声情報は、制御部１１および通信Ｉ／Ｆ１３を介して、通話相手端末７に送られる。表示部１５は、アイコンなどのＧＵＩ（Graphical User Interface）をユーザに提供する装置である。操作部１６は、キーボードやマウスなどの操作子により構成されており、通話相手の電話番号等の各種の情報やコマンドをユーザから受け取る。操作部１６を構成する操作子のうち本実施形態に特有のものとして録音ボタンがある。これは、通話中に、ユーザの音声および通話相手の音声の録音を指示する場合に押下されるボタンである。
【００１０】
次に制御部１１の機能のうち本実施形態に特有のものについて説明する。図１において制御部１１を表すボックスの中には、制御部１１により実行される各処理が図示されている。本実施形態において制御部１１は、ＩＰ処理１１１、ＵＤＰ（User Datagram Protocol）処理１２１、ＴＣＰ（Transmission
Control Protocol）処理１２２、通話制御処理１３１および遠隔制御処理１３２を実行する。
【００１１】
ここで、ＩＰ処理１１１はネットワーク層の処理として周知のものであり、ＵＤＰ処理１２１およびＴＣＰ処理１２２はトランスポート層の処理として周知のものである。通話制御処理１３１および遠隔制御処理１３２は、アプリケーション層の処理である。通話制御処理１３１および遠隔制御処理１３２は、トランスポート層およびネットワーク層の各処理を介すことにより、ＬＡＮ２またはインターネット４に接続された装置が実行するアプリケーションを相手として通信を行う。その際、アプリケーション層の処理は、ネットワークの負担を軽減するため、再送制御が必要な場合はＴＣＰ処理１２２、そうでない場合はＵＤＰ処理１２１という具合に、トランスポート層の処理を使い分ける。
【００１２】
通話制御処理１３１は、主な処理として次のものを含む。
ａ．通話セッション制御処理
この処理では、ＳＩＰプロトコルに従い、インターネット４を介して任意の通話相手端末７との間に通話セッションを確立し、あるいは確立した通話セッションを切断する。
ｂ．音声伝送処理
この処理では、通話セッションにおいて受信される通話相手の音声情報を音声入出力部１４に供給し、音声入出力部１４から供給されるユーザの音声情報を通話相手端末７に送る。
【００１３】
遠隔制御処理１３２は、ＵＰｎＰコントロールポイントとしての機能を営む処理であり、次の各処理を含む。
ｃ．デバイス選択処理
ＬＡＮ２に接続された各種のＵＰｎＰデバイスが提供するサービスを検知してユーザに提供し、遠隔制御の対象とするＵＰｎＰデバイス（本実施形態では録音再生装置）をユーザに選択させ、そのＵＰｎＰデバイスとの通信に必要な情報を取得する。
ｄ．録音制御処理
選択された録音再生装置に対し、上述した録音ボタンのＯＮ／ＯＦＦに応じて録音開始指示または録音停止指示を送り、録音ボタンがＯＮである期間、通話相手の音声情報および音声入出力部１４から取得されるユーザの音声情報を通話制御処理１３１から受け取り、音声情報を録音再生装置に送信する。
ｅ．再生制御処理
この処理では、選択された録音再生装置に対し、ユーザの操作部１６の操作に応じて再生開始指示、早送り指示、巻き戻し指示、再生停止指示などの各種の指示を送り、録音再生装置から送られてくる音声情報を音声入出力部１４に出力させる。
【００１４】
図２は、本実施形態の動作例を示すシーケンス図である。図示の例において、ＬＡＮ２に接続された電話端末１およびＰＣ８は電源が投入されている。また、電源投入に伴い、ＰＣ８では、電話端末１からの指示に従って音声情報の録音および再生を行う録音再生アプリケーションが立ち上がっており、電話端末１では通話制御処理１３１および遠隔制御処理１３２の各アプリケーションが立ち上がっている。ＬＡＮ２に接続されたＰＣ８などのＵＰｎＰデバイスは、ＳＳＤＰ（Simple Service Discovery Protocol）に従ってサービスの広告を送信する（ステップＳ１０１）。具体的には、ＵＰｎＰで規定されたマルチキャストアドレスを宛先アドレスとし、ＵＰｎＰプロトコルのdiscovery messageのうちのAdvertiseメッセージと呼ばれるssdp:alive形式のメッセージをＬＡＮ２に送出する。ＵＰｎＰデバイスは、そのデバイスが提供するサービス等をＸＭＬ（Extensible Markup Language）により記述したデスクリプションファイルを記憶している。ステップＳ１０１においてＵＰｎＰデバイスから送信されるssdp:alive形式のメッセージは、このデスクリプションファイルの所在を示すＵＲＬ（Uniform
Resource Locator）を含む。
【００１５】
ＵＰｎＰコントロールポイントである電話端末１は、この広告を受信することにより、ネットワーク内にＵＰｎＰデバイスが参加したことを認識する（ステップＳ１０２）。ＵＰｎＰコントロールポイントは、ＵＰｎＰデバイスの参加を認識すると、受信したメッセージ内に記述されていたデスクリプションファイルのＵＲＬの指定を含むＨＴＴＰ（Hyper-Text Transfer Protocol）のＧＥＴコマンド（HTTP
GET）を送信する（ステップＳ１０３）。ＰＣ８などのＵＰｎＰデバイスは、このHTTP GETコマンドに対するレスポンスとして、デスクリプションファイルをＨＴＴＰのボディに付加して送信する（ステップＳ１０４）。このデスクリプションファイルは、ＵＰｎＰデバイスの機能を定義する情報、ＵＰｎＰデバイスが提供するサービスを定義する情報、サービスを表わすアイコンの画像データの所在を示すＵＲＬ、ＵＰｎＰコントロールポイントが遠隔制御のための制御メッセージを送る際に送り先として指定すべきコントロールＵＲＬ等を含んでいる。
【００１６】
ＵＰｎＰコントロールポイントである電話端末１は、このようにして各ＵＰｎＰデバイスから受信されるデスクリプションファイルをメモリ部１２に記憶し、これを用いて、上述したデバイス選択処理を実行する（ステップＳ１０５）。さらに詳述すると、電話端末１は、各ＵＰｎＰデバイスから受信されたデスクリプションファイル内のアイコンのＵＲＬを用いてアイコンの画像データを取得し、各ＵＰｎＰデバイスが提供するサービスを表わすアイコンを表示部１５に表示させる。このようにして表示部１５に表示されるアイコンの中には、ＰＣ８が提供する音声の録音再生サービスを表わすアイコンがある。ユーザが操作部１６の操作によりこのアイコンを選択すると、電話端末１は、このアイコンに対応したデスクリプションファイルを遠隔制御対象装置のデスクリプションファイルとして選択する。そして、電話端末１は、この選択したデスクリプションファイル内のコントロールＵＲＬを、以後発生する遠隔制御メッセージの宛先として選択する。この例では、ＰＣ８が遠隔制御対象装置とされ、ＰＣ８が実行する録音再生アプリケーションが遠隔制御メッセージの宛先として選択される。次に、ユーザが操作部１６の操作により、ワンタッチ録音の指示（通話セッション中において録音ボタンの操作に応じて録音動作を行うべき旨の指示）を入力すると、電話端末１は、上述した録音制御処理を実行する。この処理において電話端末１は、通話中に得られる音声情報の格納先となる録音データファイルのＩＤをユーザに入力させ、このＩＤおよび録音データファイルの作成の指示を含む遠隔制御メッセージをＰＣ８に送る（ステップＳ１０６）。ＰＣ８では、この遠隔制御メッセージが録音再生アプリケーションに引き渡される。この結果、このＩＤに対応した録音データファイルが作成される。
【００１７】
次に、ユーザが電話端末１を用いて通話を行うべく、操作部１６の操作により所望の通話相手端末７のＵＲＩ（Uniform
Resource Identifier）を入力すると、制御部１１が実行する通話制御処理１３１では、このＵＲＩを送信先とし、電話端末１のＵＲＩを送信元とするヘッダを付加したセッション要求メッセージを生成する。このセッション要求メッセージは、ＴＣＰ処理１２２を介してＩＰ処理１１１に引き渡される。ＩＰ処理１１１では、セッション要求メッセージに対し、ＳＩＰプロキシサーバ５のＩＰアドレスを送信先ＩＰアドレス、電話端末１のＩＰアドレスを送信元ＩＰアドレスとして含むＩＰヘッダを付加してパケット化し、このパケットを通信Ｉ／Ｆ１３を介してＬＡＮ２に送出する。このパケットは、ＬＡＮ２、ルータ３およびインターネット４を介してＳＩＰプロキシサーバ５に届く（以上、ステップＳ２０１）。
【００１８】
ＳＩＰプロキシサーバ５は、このパケットからセッション要求メッセージを取り出すと、ＤＮＳサーバ６への問い合わせを行うことにより、同セッション要求メッセージ内の送信先のＵＲＩに対応したＩＰアドレス、すなわち、通話相手端末７のＩＰアドレスを取得する（ステップＳ２０２およびＳ２０３）。次にＳＩＰプロキシサーバ５は、電話端末１から受信したパケット内の送信先ＩＰアドレスをＤＮＳサーバ６から取得した通話相手端末７のＩＰアドレスに入れ替え、送信元ＩＰアドレスをＳＩＰプロキシサーバ１０３のＩＰアドレスに入れ替えた上で、通話相手端末７宛てにセッション要求メッセージを送信する（ステップＳ２０４）。
【００１９】
このセッション要求メッセージを受信した通話相手端末７は、呼出中メッセージをＳＩＰプロキシサーバ５宛てに送信する（ステップＳ２０５）。この呼出中メッセージを受信したＳＩＰプロキシサーバ５は、呼出中メッセージの送信先ＩＰアドレスを電話端末１のＩＰアドレスに、送信元ＩＰアドレスをＳＩＰプロキシサーバ５のＩＰアドレスにそれぞれ入れ替えて送信し（ステップＳ２０６）。そして、通話相手端末７は、通話可能な状態になると、ＳＩＰプロキシサーバ５宛てに応答メッセージを送信する（ステップＳ２０７）。この応答メッセージを受信したＳＩＰプロキシサーバ５は、応答メッセージの送信先ＩＰアドレスのみを電話端末１のＩＰアドレスに変換して送信する（ステップＳ２０８）。この応答メッセージが電話端末１に受信されることにより通話セッションが確立する。電話端末１は、受信した応答メッセージ内の送信元ＩＰアドレスにより、通話相手端末７のＩＰアドレスを認識することができ、これ以降はＳＩＰプロキシサーバ５を経由しないで、直接、通話相手端末７宛てにパケットを送信することが可能になる。そして、電話端末１では、上述した音声伝送処理が実行され、電話端末１および通話相手端末７間で通話が行われる（ステップＳ２２０）。以上、通話相手端末７が１台の場合を例に説明したが、電話端末１と複数台の通話相手端末７との接続を行って多地点間会議を行うような場合には、各通話相手端末７のＵＲＩを含むセッション要求メッセージが電話端末１から送信され、これらのＵＲＩの各々についてステップＳ２０２〜Ｓ２０８の処理が実行される。
【００２０】
通話セッションの期間内において、電話端末１のユーザが操作部１６の録音ボタンをＯＮにすると、制御部１１は、遠隔制御処理１３２における録音制御処理を実行し、ＰＣ８に対し、録音開始指示を含む遠隔制御メッセージを送る（ステップＳ１１１）。また、録音制御処理では、録音ボタンがＯＮである間、通話相手端末７からの音声情報および音声入出力部１４から取得されるユーザの音声情報を通話制御処理１３１から受け取り、両音声情報をミキシングし、この結果得られる音声情報を含む遠隔制御メッセージをＰＣ８に送信する（ステップＳ１１２）。そして、ＰＣ８では、録音再生アプリケーションに録音開始指示や音声情報を含む遠隔制御メッセージが引き渡され、音声情報の録音データファイルへの格納が行われる（ステップＳ１１３）。その後、電話端末１のユーザが操作部１６の操作ボタンをＯＦＦにすると、録音制御処理では、録音停止指示を含む遠隔制御メッセージをＰＣ８に送り、音声情報のＰＣ８への送信を停止する（ステップＳ１１４）。これにより、ＰＣ８では音声情報の記録が停止される。
【００２１】
ユーザが操作部１６の操作により通話終了を指示すると、制御部１１が実行する通話制御処理１３１では、切断要求が発生される。この切断要求はＳＩＰプロキシサーバ５を経由して通話相手端末７に送られる（ステップＳ２３１およびＳ２３２）。これにより通話セッションは終了する。
【００２２】
本実施形態では、以上のようにして通話中における通話相手の音声とユーザの音声をＰＣ８に録音させる他、ＵＰｎＰプロトコルを利用した電話端末１からの遠隔操作により、録音された音声をＰＣ８に再生させ、その音声をＰＣ８から電話端末１に送り、電話端末１において放音することができる。以下、図３を参照し、その動作を説明する。
【００２３】
まず、ユーザが操作部１６の操作により、ＵＰｎＰデバイスの検索指示を入力する。この検索指示が入力されると、制御部１１は、遠隔制御処理１３２において、ＵＰｎＰプロトコルで規定されたマルチキャストアドレスを宛先アドレスとして、SSDP:Discovery形式のM-Search（検索要求）をＬＡＮ２に送出する。この検索要求はＬＡＮ２を介し、ＰＣ８を含む各ＵＰｎＰデバイスに届く（以上、ステップＳ３０１）。ＬＡＮ２に接続されているＰＣ８などのＵＰｎＰデバイスは、この検索要求を検知すると、各々が保持するデスクリプションファイルのＵＲＬを含んだM-Search Response（検索応答）をＵＰｎＰコントロールポイントである電話端末１に返す（ステップＳ３０２）。そして、制御部１１は、図２におけるステップＳ１０２〜Ｓ１０５までの処理と同様なステップＳ３０３〜Ｓ３０６までの処理を実行し、ユーザに遠隔制御の対象とするＵＰｎＰデバイスを選択させる。この例では、遠隔制御の対象として、ＰＣ８が選択されたものとする。
【００２４】
次にユーザが操作部１６の操作により録音データの再生指示を入力すると、制御部１１は、遠隔制御処理１３２において再生制御処理を実行し、再生制御処理のポート番号および録音データファイルのＩＤの一覧の送信指示を含む遠隔制御メッセージをＰＣ８に送る（ステップＳ３０７）。この送信指示は、ＰＣ８のデスクリプションファイルに記述された録音再生アプリケーションのコントロールＵＲＬ宛に送信され、ＰＣ８により受信される。ＰＣ８では、送信指示を含む遠隔制御メッセージが録音再生アプリケーションに引き渡される。遠隔制御メッセージを受け取った録音再生アプリケーションは、ＰＣ８に記憶された全ての録音データファイルのＩＤの一覧を再生制御処理のポート番号とともにパケットに組み込み、電話端末１宛てに送る（ステップＳ３０８）。電話端末１では、このパケットから録音データファイルのＩＤの一覧が取り出されて再生制御処理に引き渡される。再生制御処理では、この録音データファイルのＩＤの一覧を表示部１５に表示させ、再生対象である録音データファイルをユーザに選択させる（ステップＳ３０９）。そして、再生制御処理では、ユーザによって再生対象として選択された録音データファイルのＩＤをＰＣ８の録音再生アプリケーションに通知する（ステップＳ３１０）。録音再生アプリケーションは、この通知されたＩＤに対応した録音データファイルを再生対象とする。
【００２５】
次にユーザが録音データの再生開始指示を入力すると、制御部１１は、再生制御処理において再生開始指示を含む遠隔制御メッセージをＰＣ８に送る（ステップＳ３１１）。ＰＣ８では、再生開始指示が録音再生アプリケーションに引き渡される。この結果、再生対象である録音データファイルに格納された音声情報が再生される。ＰＣ８は、この再生される音声情報を再生制御処理のポート番号とともにパケットに組み込み、パケットを電話端末１宛てに送る（ステップＳ３１２）。電話端末１では、このようにして受信されるパケットから音声情報とポート番号が取り出され、ポート番号により指定される再生制御処理に音声情報が引き渡される。再生制御処理では、この音声情報が音声入出力部１４に送られ、音声として出力される（ステップＳ３１３）。
【００２６】
ユーザは、操作部１６の操作により、再生開始指示の他、早送り指示、巻き戻し指示、再生停止指示を入力することができる。これらの各指示も、上述した再生指示と同様、遠隔制御メッセージに組み込まれてＰＣ８に送信され、ＰＣ８の録音再生アプリケーションに引き渡される。これによりＰＣ８では、指示に対応した処理が行われる。
【００２７】
以上説明したように、本実施形態では、通話中に録音ボタンを操作することにより、録音ボタンがＯＮである期間、通話相手および電話端末１のユーザの音声を所望の録音再生装置（上記実施形態ではＰＣ８）に録音させることができる。ここで、通話相手が使用する通話相手端末７が電話端末１と同様な構成のものであれば、通話相手も、電話端末１のユーザとは独立に、所望の期間だけ通話の音声を所望の録音再生装置に録音させることができる。従って、本実施形態によれば、通話に関わる各人は、各々通話中の所望の期間だけ通話の音声を所望の録音再生装置に録音させることができる。また、本実施形態によれば、録音再生装置に音声を録音させる際、音声情報を格納する録音データファイルに適当なＩＤを付けることができるので、後に所望の音声情報を探し出すのが容易になるという利点がある。また、本実施形態によれば、通話の音声を録音する録音再生装置をＬＡＮ内のＵＰｎＰデバイスの中から自由に選択することができるので、ユーザは自分にとって都合のよい装置（例えば自分のＰＣ）に通話の音声を録音させることができる。さらに本実施形態によれば、電話端末１からの遠隔操作により、任意の録音再生装置において任意の録音データファイル内の音声情報を再生し、この音声情報を電話端末１が受け取って放音することができる。従って、ユーザは、電話端末１が録音データファイルを持っているような感覚で通話の音声の録音および再生を行うことができる。しかも、この場合において実際の録音データファイルは、電話端末１にはなく、これとは別体の録音再生装置のものが用いられる。従って、電話端末１に録音データファイルを保存するための大容量のメモリは不要であり、電話端末１を安価にすることができるという利点がある。
【００２８】
以上、この発明の一実施形態について説明したが、この発明にはこれ以外にも他の実施形態が考えられる。例えば次の通りである。
（１）上記実施形態では、ネットワークの負荷を軽減するため、録音ボタンがＯＮである期間、通話相手から受信される音声情報と電話端末１のユーザの音声情報とをミキシングした音声情報を録音再生装置に送ったが、使用可能なネットワークの帯域が充分にある場合には、通話相手から得られる音声情報のパケットを録音再生装置に送る一方、電話端末１のユーザから得られる音声情報をパケット化して録音再生装置に送るようにしてもよい。その際、通話相手およびユーザの音声情報の同期再生を容易にするため、各パケットに音声情報の発生時刻を示す時刻情報を含めるようにしてもよい。なお、通話相手の音声情報とユーザの音声情報をミキシングして録音再生装置に送るか、別々のパケットに載せて録音再生装置に送るかは、ネットワークの負荷と制御部１１の負荷のトレードオフで決定すればよい。
【００２９】
（２）通話相手および電話端末１のユーザの音声情報を録音再生装置に送る際、ネットワーク負荷を減らすために、音声情報を低いサンプリングレートに変換し、データ量を減らしてから送るようにしてもよい。
（３）上記実施形態では、通話相手および電話端末１のユーザの両方の音声情報を録音再生装置に送ったが、ユーザからの指示に従い、通話相手または電話端末１のユーザの一方の音声情報を録音再生装置に送るようにしてもよい。また、通話相手の音声情報の録音を行う場合において通話相手端末が複数台ある場合には、それらの中の指定した通話相手端末から送られてくる音声情報を録音再生装置に送るようにしてもよい。
【００３０】
（４）この発明は、電話会議に使用する会議端末にも適用可能である。ここで、各会議端末において、会議の各参加者の音声を参加者毎に別々に収音することができる場合には、各参加者の音声情報を参加者の識別情報とともに各々別個のパケットに搭載し、通話相手の会議端末に送信することも可能である。このような態様では、各会議端末において通話セッションにおける音声情報を録音再生装置に録音させる際に、ユーザによって指定された特定の参加者の識別情報を含んだパケットのみを録音再生装置に送り、その録音をさせるようにしてもよい。あるいは、会議端末は、他の会議端末から受信されるパケットおよび音声入出力部から入力される音声情報とその発生元である参加者の識別情報とを含むパケットを全て録音再生装置に送り、録音再生装置では、録音データファイル内に参加者毎に別々の録音トラックを設定し、会議端末から送られてくる各参加者の音声情報を各々に対応した録音トラックに格納するようにしてもよい。この態様によれば、再生の際に、録音トラックを選択することにより、所望の参加者の音声情報を再生することができるという利点がある。各参加者の音声を別々に収音するための手段としては、参加者毎に別個のマイクを用いる方法、あるいはマイクアレイにより各参加者の近傍に仮想的な収音点を設け、各収音点における音声情報を得る方法等を採用可能である。
【図面の簡単な説明】
【００３１】
【図１】この発明の一実施形態である電話端末およびその環境であるネットワークの構成を示すブロック図である。
【図２】同実施形態の録音動作の例を示すシーケンス図である。
【図３】同実施形態の再生動作の例を示すシーケンス図である。
【符号の説明】
【００３２】
１……電話端末、２……ＬＡＮ、３……ルータ、４……インターネット、５……ＳＩＰプロキシサーバ、６……ＤＮＳサーバ、７……通話相手端末、８……ＰＣ、１１……制御部、１２……メモリ部、１３……通信Ｉ／Ｆ、１４……音声入出力部、１５……表示部、１６……操作部、１１１……ＩＰ処理、１２１……ＵＤＰ処理、１２２……ＴＣＰ処理、１３１……通話制御処理、１３２……遠隔制御処理。
【図１】
2007110186.tif 000003
【図２】
2007110186.tif 000004
【図３】
2007110186.tif 000005